(57)【要約】【課題】ルアーは軽量であり、好ましくは小型であることが求められる。また、ルアーは、捕獲可能状態にある正しい姿勢を取るように沈ませられるものであるか、及び／又はキャスティングロッドで正しい姿勢の捕獲可能状態にできるものでなければならない。従来技術のルアーは、その寸法、重量または遊泳姿勢のいずれかに問題がある。【解決手段】浮力性ルアー本体（１）と、限定的な動作用スペースを伴ってルアー本体に連結され且つルアー本体の浮力を超える重量を有する重り（４、６）と、釣糸留具（３）と、釣針及び釣針留具のうち少なくとも１つ（２）とを備えるルアー装置であって、重り（４、６）がルアー本体（１）に連結されており、遊泳状態の反作用によってルアー本体の浮力がルアー本体をルアー本体に対する限定的な動作用スペース内で位置づけ、それによってルアー本体の遊泳姿勢を決定することを特徴とする。【選択図】図１
2010220613.tif 000002
【特許請求の範囲】
【請求項１】
浮力性ルアー本体（１）と、限定的な動作用スペースを伴って前記ルアー本体に連結され且つ前記ルアー本体の浮力を超える重量を有する重りと、釣糸留具（３）と、釣針又は釣針留具のうち少なくとも１つ（２）とを備えるルアー装置であって、
前記重り（４、６）が前記ルアー本体（１）に連結されており、遊泳状態の反作用によって前記ルアー本体の前記浮力が前記ルアー本体自身を、前記ルアー本体に対する前記限定的な動作用スペース内で位置づけることによって、前記ルアー本体の遊泳姿勢を決定することを特徴とするルアー装置。
【請求項２】
前記重り（４）が、前記ルアー本体の外側に延出し且つ前記ルアー本体に対して限定的な動作用スペースを有するアーム（８）によって、前記ルアー本体に連結されていることを特徴とする請求項１に記載のルアー装置。
【請求項３】
前記ルアー本体（１）が、前記釣糸留具（３）と、前記釣糸留具に対する限定的な動作用スペースを有する連結要素（５）とを介して前記重り（６）に連結されていることを特徴とする請求項１に記載のルアー装置。
【請求項４】
請求項２に記載のルアー装置に提供するための、前記釣糸留具（３）に対して限定的な固定位置スペースを有する重り要素（４）。
【請求項５】
請求項２に記載のルアー装置に提供するためのルアーであって、突出アーム（８）と前記ルアー本体（１）との間に角度位置スペースを伴って、前記突出アームによって前記ルアー本体に取り付けられた重り（４）を有するルアー。
【発明の詳細な説明】
【技術分野】
【０００１】
本発明は、例えばキャスティング釣りやリグ（例えばイカ用リグ）状に配置されたルアーを用いる釣り等の、概して定置で行う釣り用のルアー装置に関する。ルアー装置は、浮力性のあるルアー本体と、ルアーの浮力を超える重量の重りと、捕獲対象魚に対応した構造とデザインを有し、従来技術で知られるように、ルアー本体に又はルアー本体の有する釣針用留具に取り付けた（複数の）釣針と、を備えるルアーを含む。ルアーは更に、直接的にあるいは別の連結組立品を介して、ルアーを釣糸に結び付けるための手段を備えている必要がある。
【背景技術】
【０００２】
捕獲対象魚の天然の餌が持つ遊泳特性を真似るために、多くの捕獲対象魚を対象とするルアーは繊細な動作を取ることが求められる。繊細な動作を得る必要条件としては、ルアーが軽量であり、好ましくは小型であることが挙げられる。軽量とは実際には、ルアー本体が浮くことを意味する。一方ルアーは、捕獲可能状態にある正しい姿勢を取るように沈ませられるものであるか、及び／又はキャスティングロッドによって正しい姿勢の捕獲可能状態にさせられるものでなければならない。魚を真似たルアー等の多くのルアーについて、捕獲可能状態にある正しい姿勢とは、実質的な水平姿勢を意味する。捕獲可能状態において、所望の誘い出し遊泳の動作を提供するように、ルアーは、できるかぎりその繊細な動作能力を活用できるべきである。
【発明の概要】
【発明が解決しようとする課題】
【０００３】
従来技術のルアーは、その寸法、重量または遊泳姿勢のいずれかに問題がある。
【課題を解決するための手段】
【０００４】
上記問題は、浮力性ルアー本体と、限定的な動作用スペースを伴って前記ルアー本体に連結され且つルアー本体の浮力を超える重量を有する重りと、釣糸留具と、釣針／釣針留具のうち少なくとも１種を備える本発明によるルアー装置によって、実質的に解決される。
【０００５】
本発明の特徴として、重りがルアー本体に連結されており、遊泳状態の反作用によってルアー本体の浮力がルアー本体自身を、ルアー本体に対する限定的な動作用スペース内で位置づけることによって、ルアー本体の遊泳姿勢を決定する。
【０００６】
本発明に特有の追加の特性は、付属の従属請求項に記載する。
【図面の簡単な説明】
【０００７】
【図１】本発明によるルアー装置の一実施形態を、ルアー装置が取りうる２種の状態で示す。
【図２】本発明によるルアー装置の別の実施形態を、ルアー装置が取りうる２種の状態で示す。
【図３】本発明によるルアー装置の第３の実施形態を示す。
【図４】ルアー本体と重量負荷要素との連結を提供する連結要素を示す。
【発明を実施するための形態】
【０００８】
本発明によるルアー装置とそれに関連する主要部分の様々な実施形態を例示しつつ、付属の図面を用いて本発明をより詳細に説明する。
【０００９】
図１は、材料及び／又は構造により浮力性を与えられたルアー本体１（以下、単に本体と呼ぶ）を備えるルアーを示す。釣糸留具３は、従来の方法で本体１に固定されており、また一例として、イカ用釣針２がその反対端に固定されている。イカ用釣針の代わりに、通常のルアー用釣針を留める釣針ループを備えていてもよい。釣糸留具３の近傍では、硬いアーム８とヒンジ式取り付け具７とによって、重り４が本体１に取り付けられている。重り４は（アーム８、１つ又は複数の釣針２と共に）、本体１により生じる浮力を超える重さが得られる寸法を有している。すなわち一般的な水の状態において、ルアーは潜水可能になっている。またアーム８の長さは、取り付けられた重り４が、本体１により生じる浮力モーメントを補償するのに適したねじりモーメントを本体１に生じさせるものになっている。その結果、遊泳状態にあるルアーは、アーム８と本体１との間の取り付け角度に応じた、上記モーメントが互いに補償し合う姿勢をとる。前記取り付け角度はヒンジ式取り付け具７により提供され、アーム８が適切に本体１に対して限定的な回転動作を行えるようになっている。ヒンジ式取り付け具７及びアーム８は、重り４とアーム８とが本体１の下で又は内側に回転できるように構成することができる。アーム８とそれに支持される重り４とを、釣糸留具３の近傍で本体１へ固定することで、誘い出しの動作をルアーにとらせる際に、慣性モーメントが本体１の尾部の軌跡に与える影響が低減する。
【００１０】
図２は、本発明を実施すべく、従来技術で知られるように、本体１、本体１に固定された釣針２及び本発明を実施するように設計された構造を有する留具３、すなわち、図１におけるヒンジ式取り付け具７に対応して、重りアーム８をルアー構造へ固定すべく設計された構造を有する留具３を備えた別のルアー装置の実施形態を示す。本実施形態において、留具３は釣糸留具としても作用する。
【００１１】
図２によるルアーを沈める場合、浮力の影響を受けた本体１は上方へ回転する傾向があり、ルアーと重りアーム８との間の角度が増す傾向がある。この回転動作を制限するために、本体１及び／又は重り４は、本体１と重り４との間の角度が意図した値に達したときに設計された部分同士が互いに固定されるように、相互に接触する領域に設計されなければならない。この角度姿勢は、重り４の重量負荷により本体１に与えられるモーメントと本体１により生じる反対方向の浮力モーメントとによって、本体１を遊泳状態に適した姿勢、例えば水平姿勢を取るように規定すると都合がよい。この適切な遊泳姿勢はもちろん、ルアーの構造及び捕獲標的に応じて、他のどのようなものであってもよい。重り４が本体１とは別であり、実質的に釣糸留具３で一体化されていれば、本体１の慣性モーメントが釣りの状況において意図される本体１の誘い出しの動作を顕著に阻害することはない。重りアーム８の留めスロットと本体１の留めループ３との間にある横方向の隙間も、本体１の動作能を向上させる。
【００１２】
重り４と本体１との間の浮力モーメントに対して共方向回転が自由に行えるようになっており、実質的に重り４が本体１と接触しながら平行な姿勢を取ることができる。このような組み立て品とすることで、ルアーを保管、輸送するためのスペースの節約と取扱いの融通性を提供する。好適な設計では、本体１の下で回転する重り４には、必要に応じて、本体１に取り付ける釣針を格納するスペースを設けることができる。
【００１３】
図１による実施形態又はその変形において、通常は本体１に取り付けた遊泳リップによりルアーに提供される上記特性を重り用に設計している。本実施形態は、餌魚の遊泳の模倣をできる限り良好にすることがルアー操作において重要な逆方向のスピニング段階を含むスピニングに用いられるルアーに関連する。
【００１４】
図３は、数個の餌魚を用いた釣りに適用した、本発明の別の実施形態を示す。本実施形態において、本体１は、独立した連結要素５によって重り６に連結されている。連結要素５は、複数を直列に連結させて鎖のようにつなぐことができ、これによりルアーリグ組み立て品が提供される。連結要素５は、図２の実施形態における重り４に相当する方法で、本体１の留具３と協働する構造を備えていなければならない。その上、上記協働構造の部分には、本体１を連結要素５に簡単に留め、また個々にそこから外すことを考慮しなければならない。
【００１５】
連結要素５の構造の一実施形態を図４に示す。留具３は回転可能に連結要素５に取り付けられ、連結要素５内の支持面５’に対して接することで、浮力方向について所定の姿勢を本体１に取らせるようになっている。留具３と連結要素５との間の回転軸は、好ましくは先糸ロックに相当するロックとして振舞う。それにより必要数の重り要素を鎖のようにつないで、好適な長さを有するひとまとまりの毛針群とすることができる。
【００１６】
留具３の連結点及び各々の連結要素５の連結点は、釣りの状況で動かされるルアーが都合のよい遊泳動作をするように、本体１の横方向移動を可能にすべく、好ましくは横方向に幾分広いものでなければならない。
【００１７】
尚、特許請求の範囲の項に図面との対照を便利にするために符号を記すが、該記入により本発明は添付図面の構造に限定されるものではない。
【図１】
2010220613.tif 000003
【図２】
2010220613.tif 000004
【図３】
2010220613.tif 000005
【図４】
2010220613.tif 000006